(57)【要約】      （修正有）【課題】仕切られた複数の領域にそれぞれ何を収納するのかを表示するネームプレートが設けられ、ネームプレートが収納物の出し入れの邪魔にならない引き出し内整理構造を提供する。【解決手段】引き出し１内に配置される横仕切り板１２を含む仕切り部材１３を有する。仕切り部材１３によって仕切られた引き出し１内の複数の領域２１〜２９に対応付けられるように、横仕切り板１２には、その上辺から下方へ切除された矩形の切欠窓１４が形成されている。切欠窓１４には、左右両側の支点を中心に前後方向に回動可能なネームプレート１５が嵌められている。ネームプレート１５には、引き出し１内の対応付けられた領域に収納すべき物品名が表示されている。【選択図】図１
2015006213.tif 000002
【特許請求の範囲】
【請求項１】
引き出し内に配置される少なくとも１枚の横仕切り板を含む仕切り部材と、
前記仕切り部材によって仕切られた引き出し内の複数の領域に対応付けられるように、前記横仕切り板の上辺から下方へ切除された矩形の切欠窓と、
前記切欠窓に嵌められ、左右両側の支点を中心に前後方向に回動可能なネームプレートとを有し、
前記ネームプレートには、引き出し内の対応付けられた領域に収納すべき物品名が表示されていることを特徴とする、引き出し内整理構造。
【請求項２】
前記ネームプレートは、左右両側辺から左右に突出する支軸を有し、
前記切欠窓の左右の枠部には、前記ネームプレートの支軸が嵌合する凹溝が形成されていることを特徴とする、請求項１記載の引き出し内整理構造。
【請求項３】
前記ネームプレートの正面には、手前側の領域に収納すべき物品名が表示されており、
前記ネームプレートの裏面には、奥側の領域に収納すべき物品名が表示されていることを特徴とする、請求項１または２に記載の引き出し内整理構造。
【発明の詳細な説明】
【技術分野】
【０００１】
この発明は、机の引き出し内を整理するための整理構造に関する。
【背景技術】
【０００２】
机の引き出し内を整理するための整理構造に関しては、種々の技術が提案されている。
たとえば、特許文献１には、「引き出し整理具」が提案されている。
特許文献２には、「引き出しの仕切り部材」が提案されていて、コイルばねにより可動可能な仕切り板が開示されている。
特許文献３には、高さの異なる複数種類の仕切り板を備えた「事務用品整理箱」が提案されている。
【先行技術文献】
【特許文献】
【０００３】
【特許文献１】特開平１１−７５９７３号公報
【特許文献２】特開平９−３２２８３２号公報
【特許文献３】実開平５−８６２４６号公報
【発明の概要】
【発明が解決しようとする課題】
【０００４】
従来提案されている種々の引き出し内整理構造は、各種の仕切り板で引き出し内を仕切り、仕切った複数の領域にそれぞれ所定の収納物を収納できるようにした構成である。
ところが、仕切られた複数の領域にそれぞれ何を収納するのかについては、表示などはされておらず、引き出し内の収納物（たとえば文房具等）を出し入れするうちに、どの領域に何を収納すべきであるかの区別が曖昧となり、整理に不十分な構成であるという課題があった。
【０００５】
この発明は、このような背景のもとになされたもので、仕切られた複数の領域において、それぞれ何を収納すべきかを表示するネームプレートが設けられ、しかもそのネームプレートが収納物の出し入れの邪魔にならないように工夫された引き出し内整理構造を提供することを主たる目的とする。
【課題を解決するための手段】
【０００６】
請求項１記載の発明は、引き出し内に配置される少なくとも１枚の横仕切り板を含む仕切り部材と、前記仕切り部材によって仕切られた引き出し内の複数の領域に対応付けられるように、前記横仕切り板の上辺から下方へ切除された矩形の切欠窓と、前記切欠窓に嵌められ、左右両側の支点を中心に前後方向に回動可能なネームプレートとを有し、前記ネームプレートには、引き出し内の対応付けられた領域に収納すべき物品名が表示されていることを特徴とする、引き出し内整理構造である。
【０００７】
請求項２記載の発明は、前記ネームプレートは、左右両側辺から左右に突出する支軸を有し、前記切欠窓の左右の枠部には、前記ネームプレートの支軸が嵌合する凹溝が形成されていることを特徴とする、請求項１記載の引き出し内整理構造である。
請求項３記載の発明は、前記ネームプレートの正面には、手前側の領域に収納すべき物品名が表示されており、前記ネームプレートの裏面には、奥側の領域に収納すべき物品名が表示されていることを特徴とする、請求項１または２に記載の引き出し内整理構造である。
【発明の効果】
【０００８】
この発明によれば、引き出し内の仕切られた複数の領域に対応付けられて、それぞれの領域に収納すべき物品名がネームプレートにより表示されている。従って、収納物の整理機能が向上した引き出し内整理構造とすることができる。
しかも、ネームプレートは、収納物の出し入れに邪魔にならないように回動可能な構成であり、ネームプレートの表示が見やすい。
【図面の簡単な説明】
【０００９】
【図１】図１は、この発明の一実施形態に係る引き出し内整理構造の構成概要図である。
【図２】図２は、この発明の一実施形態に係る引き出し内整理構造の横仕切り板の正面図である。
【図３】図３は、横仕切り板の平面図である。
【図４】図４は、横仕切り板の右側面図である。
【図５】図５は、横仕切り板の底面図である。
【図６】図６は、横仕切り板の要部拡大部分正面図である。
【図７】図７は、横仕切り板の要部拡大部分平面図である。
【図８】図８は、図６のＡ−Ａ矢視図である。
【図９】図９は、図６のＢ−Ｂ矢視図である。
【図１０】図１０は、ネームプレートの正面図である。
【発明を実施するための形態】
【００１０】
以下には、図面を参照して、この発明の一実施形態について具体的に説明をする。
図１は、この発明の一実施形態に係る引き出し内整理構造の構成概要図である。
引き出し内整理構造１０は、机の引き出し１の収納空間２内に配置された例えば２枚の縦仕切り板１１および例えば２枚の横仕切り板１２を含んでいる。縦仕切り板１１および横仕切り板１２は、交差連結体を構成するように組み合わされており、全体として仕切り部材１３を構成している。
【００１１】
その結果、仕切り部材１３、すなわち縦仕切り板１１および横仕切り板１２によって、机の引き出し１内の収納空間２は、複数の収納領域２１〜２９に仕切られている。
この実施形態の特徴は、仕切り部材１３によって仕切られた引き出し１内の複数の収納領域２１〜２９にそれぞれ対応付けられるように、横仕切り板１２に切欠窓１４が形成されていることである。各切欠窓１４は、横仕切り板１２の上辺から下方へ向かって切除された矩形の窓となっている。すなわち、各切欠窓１４は、両側枠および下枠を有するが、上枠は備えておらず、上方は開放された窓となっている。
【００１２】
そして、この実施形態のさらなる特徴は、各切欠窓１４に、ネームプレート１５が嵌められていることである。各ネームプレート１５は、それぞれ、切欠窓１４に嵌められ、左右両側の支点を中心に前後方向に回動可能に取り付けられている。各ネームプレートには、引き出し１内の対応付けられた収納領域２１〜２９に収納すべき物品名が表示されている。
【００１３】
より具体的には、ネームプレート１５の正面には、前側の収納領域に収納する物品名（例えば「消しゴム」）が記載されている。また、ネームプレート１５の裏面には、後方側に位置する収納領域に収納すべき物品名（例えば「のり」）が表示されている。
このような構成であるから、ネームプレート１５を回動させ、当該ネームプレート１５を通常の垂直状態から水平に近い状態とすることによって、対応する収納領域に何を収納すべきかを極めて容易に確認することができる。
【００１４】
また、収納領域に物品を収納後は、ネームプレート１５を垂直な状態にし、横仕切り板１２とほぼ面一にすることにより、ネームプレート１５が収納物の取り出しの邪魔になったりすることはない。
この実施形態によれば、机の引き出し１内の収納空間２を複数の収納領域に仕切ることができ、しかも仕切った複数の収納領域に何を収納すべきかを、容易に確認できる構成とすることができる。よって、引き出し１の中を整理しやすく、また収納物が特定の収納領域にきちんと収納できるといった効果を奏する整理構造とすることができる。
【００１５】
なお、仕切り部材１３は、少なくとも１枚の横仕切り板１２によって構成することも可能である。
図２は、横仕切り板１２の正面図、図３は横仕切り板１２の平面図、図４は横仕切り板１２の右側面図、図５は横仕切り板１２の底面図である。
これら図２〜図５を参照して、横仕切り板１２は、机の引き出し１内の横方向寸法に対応した横長長方形状の仕切り板である。当該仕切り板１２には、縦仕切り板１２を組み合わせることができるように、たとえば長さ方向中央部において、底面側から切り込まれたスリット１６と、スリット１６と横仕切り板１２の左端とのほぼ中央部において、底面側から切り込まれたスリット１７が形成されている。縦仕切り板１１は、これらスリット１６、１７に対応付けられたスリットを備えており、横仕切り板１２に対して縦仕切り板１１はいわゆる井桁状に組み合わせることができる。つまり、縦仕切り板１１と横仕切り板１２とを、ほぼ直角に交差するように連結させ、井桁状の仕切り部材に組み立てることができる。
【００１６】
横仕切り板１２には、縦仕切り板１１と組み立てられて仕切られる各収納領域に対応する位置に、言い換えればスリット１６、１７で区画された縦仕切り板１２の各区画領域中央部において、上辺から下方へ切除された矩形の切欠窓１４が形成されている。各切欠窓１４の周囲は窓枠が構成されるように、やや板厚が厚くされた枠部１８が設けられている。そして切欠窓１４の左右の枠部１８には、たとえば切欠窓１４の上端開放部から底にむかって４分の１〜３分の１ほど下方へ下がった位置に、軸受け溝１９が形成されている。
【００１７】
図６は、図２における切欠窓１４部分の拡大正面図であり、図７はその平面図であり、図８は図６のＡ−Ａ矢視図であり、図９は図６のＢ−Ｂ矢視図である。
これら図６〜図９を参照して、切欠窓１４の左右枠部１８には、その裏面側から形成された軸受け溝１９が設けられていることがわかる。
図１０は、切欠窓１４に嵌められるネームプレート１５の正面図である。ネームプレート１５は、切欠窓１４に嵌まる大きさの矩形の板であり、左右両側辺から両側へ突出する支軸２０が設けられている。ネームプレート１５は、例えば樹脂で一体成形されており、その表面および裏面には、物品名表示領域が備えられている。この物品名表示領域に、たとえばシールプリント等で表示された物品名や物品図を貼り付けることにより、ネームプレート１５が物品名を表示するプレートとして機能する。
【００１８】
ネームプレート１５の切欠窓１４への取り付けは、ネームプレート１５の支軸２０を切欠窓の枠部１８に形成された軸受け溝１９へ嵌め込むことにより行う。軸受け溝１９は、その入口がやや狭められており、ネームプレート１５の支軸２０をいわゆるクリック感を持って軸受け溝１９へ嵌め込むことができる。そして嵌められた後は、軸受け溝１９から支軸２０が容易に抜け出ることはない。
【００１９】
切欠窓１４に嵌められたネームプレート１５は、支軸２０を中心に前後方向に回動可能であり、所望の角度に回動させた状態で、その位置で止まるように支軸２０および軸受け溝１９の寸法が設計されている。
【産業上の利用可能性】
【００２０】
この発明に係る引き出し内整理構造は、机、特に学習机等の文房具類等を収納する引き出しを備えた学習机に対し、引き出し内に収納する文房具を適切に整理するのに好適な整理構造を提供することができる。
その他、特許請求の範囲に記載された事項の範囲で種々の設計変更を施すことが可能である。
【符号の説明】
【００２１】
１    机の引き出し
２    収納空間
１０    引き出し内整理構造
１１    縦仕切り板
１２    横仕切り板
１３    仕切り部材
１４    切欠窓
１５    ネームプレート
１６、１７    スリット
１８    枠部
１９    軸受け溝
２０    支軸
２１〜２９    収納領域
【図１】
2015006213.tif 000003
【図２】
2015006213.tif 000004
【図３】
2015006213.tif 000005
【図４】
2015006213.tif 000006
【図５】
2015006213.tif 000007
【図６】
2015006213.tif 000008
【図７】
2015006213.tif 000009
【図８】
2015006213.tif 000010
【図９】
2015006213.tif 000011
【図１０】
2015006213.tif 000012